(57)【要約】【課題】ソーラーパネルを配置するための下地フレームの前後方向に延びる第１延伸部材と、左右方向に延びる第２延伸部材とがなす角度を正確に設定できるようになるソーラーパネル用架台を提供すること。【解決手段】地盤に固定された支持部材により支持されていて、ソーラーパネルを配置するための下地フレームは、前後方向に延びる第１延伸部材である梁部材４と、左右方向に延びる第２延伸部材である根太部材５とを含んで形成され、梁部材４と根太部材５との交差箇所に略十字形の角度規定部材８０が配置され、この角度規定部材８０により、梁部材４と根太部材５とがなす角度が規定される。【選択図】図７
2015001048.tif 000002
【特許請求の範囲】
【請求項１】
地盤に固定された支持部材と、この支持部材により支持され、ソーラーパネルを配置するための下地フレームと、を含んで構成され、前記下地フレームが、前後方向に延びる第１延伸部材と、左右方向に延びる第２延伸部材とを含んで形成されているソーラーパネル用架台において、
前記第１延伸部材と前記第２延伸部材との交差箇所に、これらの延伸部材同士がなす角度を規定するための角度規定部材が配置されていることを特徴とするソーラーパネル用架台。
【請求項２】
請求項１に記載のソーラーパネル用架台において、前記角度規定部材は、前記第１延伸部材と前記第２延伸部材のうち、一方に取付具により取り付けられていることを特徴するソーラーパネル用架台。
【請求項３】
請求項１又は２に記載のソーラーパネル用架台において、前記第１延伸部材と前記第２延伸部材は、これらの延伸部材のうち、一方が上側に配置された上側部材となっていて、他方がこの上側部材の下側に配置された下側部材となっており、これらの上側部材と下側部材の上下の間に前記角度規定部材が介設されていることを特徴とするソーラーパネル用架台。
【請求項４】
請求項３に記載のソーラーパネル用架台において、前記下側部材に、前記上側部材をこの下側部材に押さえ込むための押さえ込み部材が取り付けられていることを特徴とするソーラーパネル用架台。
【請求項５】
請求項３又は４に記載のソーラーパネル用架台において、前記上側部材に、前記ソーラーパネルをこの上側部材に押さえ込むための押さえ込み部材が取り付けられていることを特徴とするソーラーパネル用架台。
【請求項６】
請求項１〜５のいずれかに記載のソーラーパネル用架台において、前記角度規定部材には、前記第１延伸部材に当接する第１当接部と、前記第２延伸部材に当接する第２当接部とが設けられており、これらの当接部が前記第１延伸部材と前記第２延伸部材に当接することにより、これらの延伸部材同士がなす角度が規定されていることを特徴とするソーラーパネル用架台。
【請求項７】
請求項６に記載のソーラーパネル用架台において、前記第１当接部は、前記第１延伸部材の幅方向両側の側面部を挟着する一対の第１突片部からなり、前記第２当接部は、前記第２延伸部材の幅方向両側の側面部を挟着する一対の第２突片部からなることを特徴とするソーラーパネル用架台。
【請求項８】
請求項７に記載のソーラーパネル用架台において、前記角度規定部材は、ベース部と、このベース部から前記第１延伸部材の長さ方向に延びる第１延出部と、前記ベース部から前記第２延伸部材の長さ方向に延びる第２延出部とを有し、前記第１延出部の幅方向両側に前記一対の第１突片部が設けられ、前記第２延出部の幅方向両側に前記一対の第２突片部が設けられていることを特徴とするソーラーパネル用架台。
【請求項９】
請求項８に記載のソーラーパネル用架台において、前記角度規定部材は、板金の打ち抜き、折り曲げ加工によって形成されていることを特徴するソーラーパネル用架台。
【発明の詳細な説明】
【技術分野】
【０００１】
本発明は、太陽光発電のためのソーラーパネル（太陽電池パネル）を地盤上に設置するためのソーラーパネル用架台に係り、例えば、大規模発電のためのメガソーラーシステムに利用できるものである。
【背景技術】
【０００２】
太陽光で発電するソーラーパネルを地盤上に設置するために、ソーラーパネル用架台が地盤に設けられる。下記の特許文献１に示されているソーラーパネル用架台は、地盤に固定された支柱等による支持部材と、この支持部材により支持され、ソーラーパネルを配置するための下地フレームと、を含んで構成されており、この下地フレームは、前後方向に延びる梁部材等の第１延伸部材と、左右方向に延びる根太部材等の第２延伸部材とを含んで形成されている。
【先行技術文献】
【特許文献】
【０００３】
【特許文献１】特開２０１２−６９９２９号公報
【発明の概要】
【発明が解決しようとする課題】
【０００４】
上述のように下地フレームを、前後方向に延びる第１延伸部材と、左右方向に延びる第２延伸部材とを含んで形成する場合には、この下地フレームにソーラーパネルが配置されるため、第１延伸部材と第２延伸部材とがなす角度が正確な所定角度になっていることが求められ、この角度が正確な所定角度になっていない場合には、ソーラーパネルを下地フレームに所定どおり配置することが困難になる。このため、下地フレームを形成する際に、下地フレームの前後方向に延びる第１延伸部材と、左右方向に延びる第２延伸部材とがなす角度を正確に設定することが求められる。
【０００５】
本発明の目的は、ソーラーパネルを配置するための下地フレームの前後方向に延びる第１延伸部材と、左右方向に延びる第２延伸部材とがなす角度を正確に設定できるようになるソーラーパネル用架台を提供するところにある。
【課題を解決するための手段】
【０００６】
本発明に係るソーラーパネル用架台は、地盤に固定された支持部材と、この支持部材により支持され、ソーラーパネルを配置するための下地フレームと、を含んで構成され、前記下地フレームが、前後方向に延びる第１延伸部材と、左右方向に延びる第２延伸部材とを含んで形成されているソーラーパネル用架台において、前記第１延伸部材と前記第２延伸部材との交差箇所に、これらの延伸部材同士がなす角度を規定するための角度規定部材が配置されていることを特徴とするものである。
【０００７】
本発明では、第１延伸部材と第２延伸部材との交差箇所に、これらの延伸部材同士がなす角度を規定するための角度規定部材が配置されているため、この角度規定部材により第１延伸部材と第２延伸部材とがなす角度を所定の正確な角度に設定することができ、これにより、ソーラーパネルを下地フレームに所定どおり配置することができる。
【０００８】
以上の本発明において、角度規定部材を、第１延伸部材と第２延伸部材のうち、一方に取付具により取り付けてもよく、取り付けなくてもよい。
【０００９】
角度規定部材を、第１延伸部材と第２延伸部材のうち、一方に取付具により取り付けると、第１延伸部材と第２延伸部材を交差させる作業を行う前に、角度規定部材をこれらの延伸部材の一方の所定箇所に不動に配置することができるため、角度規定部材によって第１延伸部材と第２延伸部材を所定角度で交差させる作業を容易かつ確実に行えるようになる。
【００１０】
また、本発明において、第１延伸部材と第２延伸部材のうち、一方を上側に配置された上側部材とし、他方をこの上側部材の下側に配置された下側部材とし、これにより、第１延伸部材と第２延伸部材を交差させてもよい。そのためには、第１延伸部材と第２延伸部材のうち、一方に他方が嵌合する凹部等を設けることにより、第１延伸部材と第２延伸部材を上下の段差がない又は殆どない状態で交差させてもよく、あるいは、一方に他方が嵌合する凹部等を設けず、第１延伸部材と第２延伸部材を上下の段差を設けて交差させてもよい。
【００１１】
以上のように第１延伸部材と前記第２延伸部材のうち、一方を上側に配置された上側部材とし、他方をこの上側部材の下側に配置された下側部材とする場合には、これらの上側部材と下側部材の上下の間に角度規定部材を介設することができる。
【００１２】
これによると、角度規定部材を上側部材の上や下側部材の下に配置する場合よりも、角度規定部材の形状や構造を単純化することができて、角度規定部材を容易に製造できるようになる。
【００１３】
また、本発明において、上側部材と下側部材を任意の結合構造により結合することができる。その一例は、下側部材に、上側部材をこの下側部材に押さえ込むための押さえ込み部材を取り付け、この押さえ込み部材の押さえ込みにより、上側部材と下側部材を結合することであり、また、他の例は、ボルト、ナット等の結合具により、上側部材と下側部材を結合することである。
【００１４】
さらに、上側部材にソーラーパネルを任意の結合構造により結合することができ、その一例は、上側部材に、ソーラーパネルをこの上側部材に押さえ込むための押さえ込み部材を取り付け、この押さえ込み部材の押さえ込みにより、ソーラーパネルを上側部材に結合することであり、また、他の例は、ボルト、ナット等の結合具により、ソーラーパネルを上側部材に結合することである。
【００１５】
以上のように上側部材と下側部材を結合するためや、上側部材にソーラーパネルを結合するために、上述の押さえ込み部材を用いても、上側部材と下側部材との交差箇所に、これらの部材同士がなす角度を規定するための角度規定部材を配置することにより、この角度規定部材による正確な角度設定により、押さえ込み部材による確実な押さえ込みを達成することができる。
【００１６】
本発明に係る角度規定部材は、任意な形態により第１延伸部材と第２延伸部材とがなす角度を正確に規定するものでよく、その一例は、角度規定部材と第１延伸部材とをビス等の第１結合具で結合するとともに、角度規定部材と第２延伸部材とをビス等の第２結合具で結合するものであり、他の例は、角度規定部材に、第１延伸部材に当接する第１当接部と、第２延伸部材に当接する第２当接部とを設け、これらの当接部が第１延伸部材と第２延伸部材に当接することにより、これらの延伸部材同士がなす角度を規定するようにするものである。
【００１７】
後者の例においても、第１当接部及び第２当接部は、任意の形態により第１延伸部材及び第２延伸部材に当接するものでよく、その一例は、角度規定部材に、第１延伸部材及び第２延伸部材に設けられた溝に挿入される突片部を形成し、これらの突片部を第１当接部及び第２当接部とすることであり、他の例は、第１当接部を、第１延伸部材の幅方向両側の側面部を挟着する一対の第１突片部からなるものとし、第２当接部を、第２延伸部材の幅方向両側の側面部を挟着する一対の第２突片部からなるものとすることである。
【００１８】
後者のように、第１当接部を、第１延伸部材の幅方向両側の側面部を挟着する一対の第１突片部からなるものとし、第２当接部を、第２延伸部材の幅方向両側の側面部を挟着する一対の第２突片部からなるものとする場合には、角度規定部材を、ベース部と、このベース部から第１延伸部材の長さ方向に延びる第１延出部と、ベース部から第２延伸部材の長さ方向に延びる第２延出部とを有するものとし、第１延出部の幅方向両側に前記一対の第１突片部を設け、第２延出部の幅方向両側に前記一対の第２突片部を設けることができる。
【００１９】
また、本発明に係る角度規定部材は、板金プレス加工や、鋳造、鍛造等の任意な製造方法により製造することができ、上述のように、角度規定部材を、ベース部と、このベース部から第１延伸部材の長さ方向に延びる第１延出部と、ベース部から第２延伸部材の長さ方向に延びる第２延出部とを有するものとし、第１延出部の幅方向両側に一対の第１突片部を設け、第２延出部の幅方向両側に一対の第２突片部を設ける場合には、この角度規定部材を、板金の打ち抜き、折り曲げ加工によって製造してもよい。
【００２０】
これによると、多数の角度規定部材を板金の打ち抜き、折り曲げ加工によって簡単かつ安価に製造できるようになる。
【００２１】
以上説明した本発明は、多数のソーラーパネルを地盤上に設置する大規模発電用のメガソーラーシステムに利用することができるとともに、少数のソーラーパネルを地盤上に設置する小規模発電用のソーラーシステムにも利用することができる。
【００２２】
また、地盤に固定されていて、下地フレームを支持するための部材となっている前述の支持部材は、頭部を地上に残して地盤の内部に打ち込まれた基礎杭等による支柱でもよく、あるいは、地盤上に設けられたコンクリート等による基礎から立設された柱や、この基礎に固定設置された金属板等による支持板でもよい。
【００２３】
さらに、地盤に支持部材を固定することは、地盤に設置された建物等を介して支持部材を地盤に固定することでもよく、言い換えると、支持部材は、建物の屋上等に立設された柱等でもよい。
【発明の効果】
【００２４】
本発明によると、角度規定部材により、ソーラーパネルを配置するための下地フレームの前後方向に延びる第１延伸部材と、左右方向に延びる第２延伸部材とがなす角度を正確に設定できるという効果を得られる。
【図面の簡単な説明】
【００２５】
【図１】図１は、本発明の一実施形態に係るソーラーパネル用架台を示す斜視図である。
【図２】図２は、図１のソーラーパネル用架台の側面図である。
【図３】図３は、図１及び図２で示されている基礎杭の頭部に配設されたヘッド手段を示す分解斜視図である。
【図４】図４は、ヘッド手段の上に配設されるブラケット手段を示す分解斜視図である。
【図５】図５は、ブラケット手段を介して第１延伸部材である梁部材をヘッド手段に取り付けたときを示す正断面図である。
【図６】図６は、梁部材の上に第２延伸部材である根太部材を配設したときを示す側断面図である。
【図７】図７は、図６のＳ７−Ｓ７線断面図である。
【図８】図８は、図６及び図７で示されている角度規定部材を示す斜視図である。
【図９】図９は、根太部材に取り付けられた押さえ込み部材によりソーラーパネルが根太部材に押さえ込まれて固定されていることを示す縦断面図である。
【図１０】図１０は、図９の押さえ込み部材とは別の押さえ込み部材が根太部材に取り付けられ、この押さえ込み部材により、隣接する２個のソーラーパネルが根太部材に押さえ込まれて固定されていることを示す縦断面図である。
【図１１】図１１は、図１及び図２で示されている方杖部材と基礎杭とが回動連結手段により回動自在に連結されていることを示す斜視図である。
【図１２】図１２は、図１１の回動連結手段の分解斜視図である。
【発明を実施するための形態】
【００２６】
以下に本発明を実施するための形態を図面に基づいて説明する。図１には、本発明の一実施形態に係るソーラーパネル用架台の斜視図が示されている。このソーラーパネル用架台において、地盤９に固定された支持部材は、頭部を地上に残して地盤９の内部に打ち込まれた基礎杭１であり、複数本の基礎杭１が地盤９の内部に打ち込まれ、これらの基礎杭１が、左右方向に並べられて地盤９に固定されている。なお、本実施形態におけるこれらの基礎杭１は、互いに平行となっている一対のフランジ部１Ａと、これらのフランジ部１Ａの幅方向中央部同士を接続しているウエブ部１ＢとからなるＨ型鋼によるものである。
【００２７】
地上に露出しているそれぞれの基礎杭１の頭部には、本実施形態のソーラーパネル用架台の側面図を示している図２のヘッド手段２とブラケット手段３を介して梁部材４が取り付けられ、基礎杭１ごとに設けられていて、前後方向に延びる長さを有しているこれらの梁部材４の上に根太部材５が取り付けられている。図１に示されているように、左右方向に延びる長さを有しているこの根太部材５は、前後方向に等間隔で複数本、本実施形態では４本配設されている。メガソーラーシステムのために根太部材５の左右方向の寸法を極めて長くすることが求められる場合には、一定長さを有する部材を長さ方向に連結することにより、左右方向の長さが充分に長い根太部材を形成してもよい。
【００２８】
本実施形態では、梁部材４が前後方向に延びる第１延伸部材となっており、根太部材５が左右方向に延びる第２延伸部材となっている。そして、梁部材４の上に根太部材５が配設されているため、根太部材５が上側部材となっていて、梁部材４が下側部材となっている。また、本実施形態では、基礎杭１ごとに１本設けられた複数本の梁部材４と、これらの梁部材４と直交配設された複数本の根太部材５とにより、基礎杭１により支持される下地フレーム６が形成されており、この下地フレーム６の上に複数枚のソーラーパネル７が載置固定されるようになっている。
【００２９】
図３には、図２で示されているヘッド手段２の分解斜視図が示されている。このヘッド手段２は、ヘッド本体２Ａと、このヘッド本体２Ａの上面に被されて固定される蓋部材２Ｂとからなる。ヘッド本体２Ａは、Ｈ型鋼で形成されている基礎杭１の２個のフランジ部１Ａの外面と対面する一対の面状部１０と、これらの面状部１０の幅方向の端部同士を連結する連結部１１とからなる平面視でコ字形状の部材である。それぞれの面状部１０に上下方向に長い長孔１２が２個形成されており、これらの長孔１２と、基礎杭１のフランジ部１Ａに形成された孔とにボルト１３の軸部を挿通し、これらの軸部の先部にナット１３Ｂを螺合して締め付けることにより、ヘッド本体２Ａは基礎杭１の頭部に固定される。蓋部材２Ｂは、ヘッド本体２Ａの上面に載せられる基部１４と、この基部１４の両端から下向きに屈曲した一対の屈曲部１５とからなり、これらの屈曲部１５に設けられた孔１６と、ヘッド本体２Ａの面状部１０に設けられた孔１７とにボルト１８の軸部を挿通し、これらの軸部の先部にナット１８Ｂを螺合して締め付けることにより、蓋部材２Ｂはヘッド本体２Ａに固定される。
【００３０】
なお、ヘッド本体２Ａと蓋部材２Ｂとからなるヘッド手段２についての基礎杭１における高さ位置は、ヘッド本体２Ａに設けられている上述の長孔１２により調整することができる。このため、頭部を地上に残して地盤９の内部に打ち込まれたそれぞれの基礎杭１に、打ち込み深さが異なるために地盤９の地表面９Ａからの突出長さに誤差がある場合には、それぞれの基礎杭１ごとに設けられるヘッド手段２についての地表面９Ａからの高さ位置を長孔１２によって調整することにより、上述の誤差を解消することができる。
【００３１】
図４には、図２で示されているブラケット手段３の分解斜視図が示されている。このブラケット手段３は、下側ブラケット１９と上側ブラケット２０とからなり、下側ブラケット１９は、基部２１と、この基部２１の両端から上方へ立ち上がった一対の立上り部２２とからなり、上側ブラケット２０は、基部２３と、この基部２３の両端から下方へ垂下した一対の垂下部２４とからなる。
【００３２】
図５に示されているように、下側ブラケット１９の基部２１は、ヘッド手段２の蓋部材２Ｂの基部１４の上に載せられ、これらの基部１４，２１に形成された孔２５，２６にボルト２７の軸部を挿通し、この軸部の先部にナット２７Ｂを螺合して締め付けることにより、下側ブラケット１９は蓋部材２Ｂに固定される。また、図５に示されているように、下側ブラケット１９の一対の立上り部２２の内側に上側ブラケット２０の一対の垂下部２４を対面配置し、これらの立上り部２２と垂下部２４に設けた孔２８，２９にボルト３０の軸部を挿通し、これらの軸部の先部にナット３０Ｂを螺合して締め付けることにより、上側ブラケット２０は、下側ブラケット１９に対してボルト３０の軸部を中心に上下回動自在に取り付けられる。この上下回動自在の取り付けにより、下地フレーム６及びこの下地フレーム６に配置されるソーラーパネル７を、適切な仰角をもって太陽に向けることができる。
【００３３】
なお、蓋部材２Ｂの基部１４に形成されている孔２５は、図４に示されているように、前後方向に長い長孔となっており、また、下側ブラケット１９の基部２１に形成されている孔２６は左右方向に長い長孔になっている。このため、それぞれの基礎杭１についての地盤９への打ち込み位置に、前後方向や左右方向の誤差がある場合には、これらの誤差を長孔２５，２６により解消して、それぞれの基礎杭１の頭部にヘッド手段２を介して取り付けられるブラケット手段３を所定位置に配置できる。
【００３４】
図５には、ブラケット手段３の上側ブラケット２０に取り付けられる前述の梁部材４も示されている。この梁部材４は、互いに平行となっている上辺部３１及び下辺部３２と、これらの上辺部３１と下辺部３２の幅方向中央部同士を接続するウエブ部３３とにより略Ｉ型となっている同一断面が長さ方向に連続しているものとなっているとともに、上辺部３１とウエブ部３３との間に上側空間部３４が形成され、下辺部３２とウエブ部３３との間に下側空間部３５が形成されたものとなっている。すなわち、上辺部３１の下面から２個の延出部３１Ａが下方へ延出し、これらの延出部３１Ａ同士が、ウエブ部３３の上端に接続されている連結部３１Ｂで連結されることにより、上辺部３１とウエブ部３３との間に上側空間部３４が設けられている。また、下辺部３２の上面から２個の延出部３２Ａが上方へ延出し、これらの延出部３２Ａ同士が、ウエブ部３３の下端に接続されている連結部３２Ｂで連結されることにより、下辺部３２とウエブ部３３との間に下側空間部３５が設けられている。
【００３５】
そして、上側空間部３４は、上辺部３１に形成された開口部３６によって上方に向かって開口しているとともに、下側空間部３５は、下辺部３２に形成された開口部３７によって下方に向かって開口しており、これらの開口部３６，３７の開口幅寸法は、上辺部３１と下辺部３２のそれぞれに一対設けられたリップ部３８により、上側空間部３４と下側空間部３５の幅寸法よりも小さくなっている。
【００３６】
以上のように略Ｉ型の同一断面が長さ方向に連続していて、上側空間部３４及び下側空間部３５も長さ方向に連続している梁部材４は、アルミ製又はアルミ合金製の押し出し成形品又は引き抜き成形品を素材とするものである。
【００３７】
ブラケット手段３の上側ブラケット２０に梁部材４を取り付けることは、図５のボルト４０及びナット４０Ｂを用いて行われる。ボルト４０はＴ型ボルトであり、このため、ボルト４０の頭部４０Ａは、この頭部４０Ａをボルト４０の軸方向から見たときに長方形となっているものであり、この長方形の長辺の長さは、上側空間部３４及び下側空間部３５の幅寸法よりも短く、かつ開口部３６，３７の開口幅寸法よりも長くなっており、また、長方形の短辺の長さは、開口部３６，３７の開口幅寸法よりも短くなっている。
【００３８】
このため、ボルト４０の頭部４０Ａを梁部材４の下辺部３２の開口部３７から挿入してボルト４０を９０度回動させることにより、この頭部４０Ａを下側空間部３５に係止し、次いで、ボルト４０の軸部を上側ブラケット２０の基部２３に設けた孔２３Ａに挿通し、この軸部の先部にナット４０Ｂを螺合して締め付けることにより、梁部材４は上側ブラケット２０に固定される。本実施形態では、図５に示されているように、上側ブラケット２０の基部２３の幅方向両側に、梁部材４の下辺部３２の幅方向両端部を挟着する一対の突起２４Ａが形成されているため、これらの突起２４Ａにより、梁部材４がボルト４０の軸部を中心に回動することが阻止されて、梁部材４は上側ブラケット２０にボルト４０及びナット４０Ｂによって固定される。
【００３９】
図６には、梁部材４の上に直交配設される根太部材５が示されている。この根太部材５は、梁部材４と同じ素材で形成されたアルミ製又はアルミ合金製の押し出し成形品又は引き抜き成形品である。すなわち、本実施形態では、前述の第１延伸部材となっていて、下側部材にもなっている梁部材４と、前述の第２延伸部材となっていて、上側部材にもなっている根太部材５は、上述の押し出し成形品又は引き抜き成形品をそれぞれ所定長さ寸法で切断することにより製造されている。
【００４０】
したがって、根太部材５は梁部材４と同じ形状となっている。すなわち、根太部材５は、互いに平行となっている上辺部４１及び下辺部４２と、これらの上辺部４１と下辺部４２の幅方向中央部同士を接続するウエブ部４３とにより略Ｉ型となっている同一断面が長さ方向に連続しているものとなっており、上辺部４１とウエブ部４３との間に上側空間部４４を、下辺部４２とウエブ部４３の間に下側空間部４５を、それぞれ形成するために、上辺部４１の下面から２個の延出部４１Ａが下方へ延出し、これらの延出部４１Ａ同士が、ウエブ部４３の上端に接続されている連結部４１Ｂで連結されることにより、上辺部４１とウエブ部４３との間に上側空間部４４が設けられ、また、下辺部４２の上面から２個の延出部４２Ａが上方へ延出し、これらの延出部４２Ａ同士が、ウエブ部４３の下端に接続されている連結部４２Ｂで連結されることにより、下辺部４２とウエブ部４３との間に下側空間部４５が設けられている。
【００４１】
そして、上側空間部４４は、上辺部４１に形成された開口部４６によって上方に向かって開口しているとともに、下側空間部４５は、下辺部４２に形成された開口部４７によって下方に向かって開口しており、これらの開口部４６，４７の開口幅寸法は、上辺部４１と下辺部４２のそれぞれに一対設けられたリップ部４８により、上側空間部４４と下側空間部４５の幅寸法よりも小さくなっている。
【００４２】
以上の形状となっている根太部材５は、図６と、この図６のＳ７−Ｓ７線断面図である図７と、図８とに示されている押さえ込み部材５０により、梁部材４の上面において、この梁部材４に上から押さえ込まれて固定されるようになっている。なお、これらの図６〜図８には、後述する角度規定部材８０も示されており、また、図８では、図７に示されている２個の押さえ込み部材５０のうち、１個の押さえ込み部材５０だけが示されている。
【００４３】
図８に示されているように全体が略平板形状となっている押さえ込み部材５０の端部には、図６に示されているように、下向きに開口した係合凹部５０Ａが形成されており、この係合凹部５０Ａは、根太部材５の下辺部４２の幅方向両端部に上向きに突設された係合突部４２Ｃに係合可能となっている。根太部材５の幅方向両側に２個配設される押さえ込み部材５０は、ボルト５１及びナット５１Ｂにより梁部材４に取り付けられ、この取り付けは、前述した図５のボルト４０と同じＴ型ボルトとなっているボルト５１の頭部５１Ａを、梁部材４の上側空間部３４に挿入して係止し、ボルト５１の軸部を押さえ込み部材５０の孔５２（図８を参照）に挿通し、この軸部の先部にナット５１Ｂを螺合して締め付けることにより、押さえ込み部材５０は梁部材４に取り付けられる。この取り付け時において、係合凹部５０Ａを係合突部４２Ｃに係合させることにより、根太部材５は、押さえ込み部材５０の上からの押さえ込み作用により梁部材４の上面に固定される。
【００４４】
以上のように２個の押さえ込み部材５０により根太部材５を梁部材４に固定することは、根太部材５と梁部材４との全部の交差箇所において行われる。
【００４５】
図９と図１０は、根太部材５の上面にソーラーパネル７を固定するための構造を示している。図９の構造は、図１に示されているように下地フレーム６に、前後方向には２個、左右方向には多数配設されるソーラーパネル７のうち、左右方向の端部に配設された１個のソーラーパネル７を根太部材５の上面に固定するための構造であり、図１０の構造は、左右方向に互いに隣接配設された２個のソーラーパネル７を根太部材５の上面に固定するための構造である。
【００４６】
図９の構造では押さえ込み部材５５が用いられ、図１０の構造では押さえ込み部材５６が用いられる。これらの押さえ込み部材５５，５６は、基部５５Ａ，５６Ａを有し、押さえ込み部材５５では、基部５５Ａの幅方向の一方の端部から、１個のソーラーパネル７の上面を上から押さえ込むための１個のフック部５５Ｂが立設されており、押さえ込み部材５６では、基部５６Ａの幅方向の両方の端部から、２個のソーラーパネル７の上面を上から押さえ込むための２個のフック部５６Ｂが立設されている。それぞれの押さえ込み部材５５，５６は、基部５５Ａ，５６Ａの孔５７，５８に軸部が挿通されるボルト５９及びナット５９Ｂにより根太部材５に固定され、このボルト５９は図５のボルト４０と同じＴ型ボルトであるため、ボルト５９の頭部５９Ａを、根太部材５の上側空間部４４に挿入して係止し、ボルト５９の軸部を基部５５Ａ，５６Ａの孔５７，５８に挿通し、この軸部の先部にナット５９Ｂを螺合して締め付けることにより、押さえ込み部材５５，５６は根太部材５に取り付けられるとともに、ソーラーパネル７は、フック部５５Ｂ，５６Ｂの上からの押さえ込み作用により根太部材５の上面に固定される。
【００４７】
なお、基礎杭１の頭部に、前部が下側となって傾斜して配置される下地フレーム６に対し、ソーラーパネル７が滑り落ちることを防止するために、前後方向に２個配置されるソーラーパネル７のうち、前側のソーラーパネル７の下面に、根太部材５に後側から当接する滑り止め部材を取り付けてもよい。
【００４８】
図１で示したそれぞれの梁部材４は、前述したように基礎杭１の頭部に図２で説明したヘッド手段２とブラケット手段３を介して支持されているとともに、これらの梁部材４は、梁部材４と基礎杭１との間に架け渡された方杖部材６０によっても支持されている。図２に示されているように、方杖部材６０の一方の端部は、梁部材４の下面に取り付けられたブラケット６１で梁部材４に連結されているとともに、他方の端部は、回動連結手段６２により、基礎杭１における地盤９の地表面９Ａから露出している部分の長さ方向途中箇所に連結されている。水平方向を軸方向とするボルト及びナットによる軸６３により方杖部材６０の一方の端部が上下回動自在に連結されているブラケット６１は、梁部材４の下側空間部３５に頭部が挿入されて係止されているＴ型ボルト及びナットによって梁部材４の下面に固定されている。
【００４９】
図１１は、方杖部材６０の基礎杭１側の端部を基礎杭１に連結している回動連結手段６２の斜視図であり、図１２は、この回動連結手段６２の分解斜視図であり、回動連結手段６２は、方杖部材６０を基礎杭１に対して上下方向と左右方向の２つの方向に回動自在としているユニバーサルジョイント式の連結手段である。回動連結手段６２は、本体６５と、この本体６５をＨ型鋼による基礎杭１の１個のフランジ部１Ａに挟着固定するための挟着部材６６と、本体６５を方杖部材６０に接続するための接続手段１００とを含んで構成されている。挟着部材６６は、左右に２個あり、接続手段１００は、左右２個の接続部材７７からなる。フランジ部１Ａを挟んで本体６５と左右２個の挟着部材６６を配置し、本体６５と挟着部材６６に設けられた孔６８，６９にボルト７０の軸部を挿通し、この軸部の先部にナット７０Ｂを螺合して締め付けることにより、本体６５は、挟着部材６６の挟着作用により基礎杭１に固定される。
【００５０】
本体６５の前部には、平面視で円形となっている円柱部（本実施形態では内部が中空となっているため円筒部）７１が設けられ、この円柱部７１は上下方向の長さを有している。接続手段１００を構成している左右２個の接続部材６７は、左右対称形状の部材であり、これらの接続部材６７には、円柱部７１の外面に被せることができる平面視で略半円形の湾曲凹部７２が形成されており、それぞれの湾曲凹部７２を円柱部７１の外面に左右方向に滑動自在に被せた後に、それぞれの接続部材６７に設けられた孔７３にボルト７４の軸部を挿通して、この軸部の先部にナット７４Ｂを螺合して締め付けることにより、左右２個の接続部材６７は結合された状態となるとともに、円柱部７１を中心に左右方向へ回動自在に本体６５に取り付けられ、この円柱部７１を介して本体６５と接続手段１００とが連結される。そして、円柱部７１に設けられているビスポケット７５に上下の２個のビス７６を螺入することにより、これらのビス７６の頭部７６Ａがストッパーとなって、接続手段１００が円柱部７１から上下方向に抜けることが阻止される。
【００５１】
左右２個の接続部材６７における湾曲凹部７２とは反対側には、方杖部材６０の幅方向の外面と対面する対面部７７が設けられており、これらの対面部７７に形成された孔７８にボルト７９の軸部を挿通し、この軸部の先部にナット７９Ｂを螺合して締め付けることにより、左右２個の接続部材６７は方杖部材６０に連結される。
【００５２】
以上により、方杖部材６０の基礎杭１側の端部は基礎杭１に回動連結手段６２を介して連結されたことになり、この連結は、上下方向が軸方向となっている円柱部７１を中心軸として左右方向に回動自在に、また、軸方向が水平方向となっているボルト７９の軸部を中心軸として上下方向に回動自在に行われている。
【００５３】
基礎杭１を地盤９に打ち込むときに、基礎杭１が鉛直軸を中心とする回動方向へのずれ角度をもって打ち込まれる場合があり、このような場合には、方杖部材６０を基礎杭１に対し、円柱部７１を中心軸として左右方向に回動させることにより、方杖部材６０と基礎杭１とを、上記ずれ角度による影響を解消して回動連結手段６２によって連結できる。
【００５４】
さらに、方杖部材６０の両端部は、それぞれ水平方向が軸方向となっている図２の軸６３と図１１のボルト７９を中心に上下方向に回動自在となっているとともに、回動連結手段６２の基礎杭１における高さ位置は、ボルト７０及びナット７０Ｂを緩めることにより変更できるため、下地フレーム６及びソーラーパネル７の太陽に対する仰角を調整するときには、回動連結手段６２の基礎杭１における高さ位置を変更して、図５で説明したボルト３０の軸部を中心に下地フレーム６及びソーラーパネル７を上下方向に回動させることにより、下地フレーム６及びソーラーパネル７の太陽に対する仰角を調整することができる。
【００５５】
そして、円柱部７１、及びこの円柱部７１の外面に左右方向に滑動自在に被せられている湾曲凹部７２は、上下方向の長さを有しているとともに、これらの円柱部７１と湾曲凹部７２は、ボルト７９よりも基礎杭１に近い位置に配置されているため、回動連結手段６２により、方杖部材６０を介して回動連結手段６２に作用する下地フレーム６及びソーラーパネル７の重量を有効に支持することができる。
【００５６】
すなわち、本実施形態において、基礎杭１に対して方杖部材６０を左右方向に回動自在とするために上下方向が軸方向となっている左右回動中心軸は、円柱部７１であり、また、基礎杭１に対して方杖部材６０を上下方向に回動自在とするために水平方向が軸方向となっている上下回動中心軸は、ボルト７９であるが、本実施形態と異なり、上下回動中心軸を基礎杭１側に配置して、左右回動中心軸を方杖部材６０側に配置した場合には、下地フレーム６及びソーラーパネル７の重量による上下回動中心軸を中心とする回動により、方杖部材６０と基礎杭１とを連結する連結手段の一部が基礎杭１に当接してしまうことが生ずるが、本実施形態では、上下回動中心軸が方杖部材６０側に配置され、左右回動中心軸が基礎杭１側に配置されているため、このような問題は生じない。
【００５７】
本体６５と左右２個の挟着部材６６のそれぞれは、上下方向に同じ断面形状が連続したものとなっている。このため、図１２の孔６８，６９を形成する以前の本体６５と左右２個の挟着部材６６は、長寸のアルミ製又はアルミ合金製の押し出し成形品又は引き抜き成形品を所定の短寸法で切断することにより容易に製造できる。また、左右２個の接続部材６７も、上下方向に同じ断面形状が連続したものとなっているとともに、これらの接続部材６７は左右対称形状となっていて、一方の接続部材６７を上下逆にすると他方の接続部材６７と同じ形状になる。このため、対面部７７の面取り部７７Ａ（図１２を参照）及び孔７３，７８を形成する以前のこれらの接続部材６７も、長寸のアルミ製又はアルミ合金製の押し出し成形品又は引き抜き成形品を所定の短寸法で切断することにより容易に製造でき、２個の接続部材６７を共通化された部材として製造することができる。
【００５８】
図８には、図６及び図７で示されている板金製の角度規定部材８０の全体斜視図が示されている。板金の打ち抜き、折り曲げ加工で形成されているこの角度規定部材８０は、図６に示されているように、前述の第２延伸部材であって上側部材となっている根太部材５と、第１延伸部材であって下側部材となっている梁部材４との間に介設されるものである。図８に示されているように、角度規定部材８０は、中央部のベース部８１と、このベース部８１から梁部材４の長さ方向に延びる一対の第１延出部８２と、ベース部８１から根太部材５の長さ方向に延びる一対の第２延出部８３とからなる平面視で略十字形の形状となっている。そして、それぞれの第１延出部８２と第２延出部８３には、図６で説明した押さえ込み部材５０を梁部材４に固定するためのボルト５１の頭部５１Ａが挿通可能となった長方形の角孔８４が形成されている。
【００５９】
それぞれの第１延出部８２の幅寸法は、梁部材４の幅寸法と対応しており、これらの第１延出部８２の幅方向両端には、折り曲げ加工により下側へ突出した一対の第１突片部８５が形成されている。また、それぞれの第２延出部８３の幅寸法は、根太部材５の幅寸法と対応しており、これらの第２延出部８３の幅方向両端には、折り曲げ加工により上側へ突出した一対の第２突片部８６が形成されている。
【００６０】
このような形状となっている角度規定部材８０は、梁部材４の上面に前述の押さえ込み部材５０で根太部材５が固定される前に、梁部材４の上面に、取付具であるビス９０及びナット９０Ｂにより、角度規定部材８０を配置するべき所定箇所である梁部材４と根太部材５との交差箇所において、取り付けられる。この取り付け作業を行うためには、初めに、ベース部８１に設けられた孔９１にビス９０の軸部を挿通し、この軸部の先部にナット９０Ｂを螺合しておく。このナット９０Ｂは、図５のボルト４０の頭部４０Ａと同じ形状及び大きさを有する長方形のものであり、ビス９０の軸部の先部に螺合させたナット９０Ｂを、梁部材４の長さ方向の端部からこの梁部材４の上側空間部３４に挿入して係止し、それぞれの第１延出部８２の一対の突片部８５を梁部材４の上辺部３１の幅方向両端部の外側に配置した後に、図６に示されているように、角度規定部材８０とビス９０とナット９０Ｂとを、梁部材４と根太部材５との交差箇所までスライド移動させ、この箇所において、ビス９０とナット９０Ｂとの締め付けにより、角度規定部材８０を梁部材４の上面に取り付ける。
【００６１】
次いで、図６に示されているように、根太部材５を角度規定部材８０の上に載せるとともに、第２延出部８３の一対の突片部８６を根太部材５の下辺部４２の幅方向両端部の外側に配置し（図７も参照）、この後に、図６及び図８で示したボルト５１の頭部５１Ａを、第１延出部８２の角孔８４から梁部材４の上側空間部３４に挿入して係止し、前述したように、ボルト５１の軸部の先部にナット５１Ｂを螺合して締め付けることにより、押さえ込み部材５０を梁部材４の上面に固定するとともに、根太部材５の係合突部４２Ｃに係合凹部５０Ａが係合した押さえ込み部材５０の押さえ込み作用により、根太部材５を梁部材４に上面に固定する。
【００６２】
以上の作業は、梁部材４と根太部材５とが交差する全部の箇所で行われ、これらの作業が終了したときには、角度規定部材８０は梁部材４と根太部材５の上下の間に配置されているとともに、角度規定部材８０の第１延出部８２に一対設けられている第１突片部８５は、図７から分かるように、梁部材４の上辺部３１の幅方向両側の側面部を挟着しており、また、第２延出部８３に一対設けられている第２突片部８６は、根太部材５の下辺部４２の幅方向両側の側面部を挟着している。これを言い換えると、一対の第１突片部８５は、梁部材４に当接する角度規定部材８０の第１当接部となっており、一対の第２突片部８６は、根太部材５に当接する角度規定部材８０の第２当接部となっており、これらの当接部の梁部材４と根太部材５への当接により、梁部材４と根太部材５は、所定の正確な角度である９０度の角度をもって交差することになる。
【００６３】
このため、下地フレーム６は、地震の発生時や風圧等により平面視で全体が歪んだ菱形になることはなく、これにより、この下地フレーム６に多数のソーラーパネル７を正確に配置することができる。
【００６４】
特に、本実施形態では、梁部材４の上に根太部材５を固定することは、図６等で示した押さえ込み部材５０の押さえ込み作用により行われ、また、根太部材５の上にソーラーパネル７を固定することは、図９及び図１０で説明した押さえ込み部材５５，５６の押さえ込み作用で行われており、このような押さえ込み作用を用いる場合には、梁部材４と根太部材５との交差角度が正確に９０度となっていることが求められるが、この正確な交差角度を角度規定部材８０によって得られるため、梁部材４の上に根太部材５を押さえ込み部材５０の押さえ込み作用によって固定でき、根太部材５の上にソーラーパネル７を押さえ込み部材５５，５６の押さえ込み作用によって固定できる。
【００６５】
また、本実施形態では、梁部材４に根太部材５が固定されるときには、角度規定部材８０は、取付具であるビス９０とナット９０Ｂにより梁部材４の所定箇所に取り付けられていて、梁部材４の長さ方向や幅方向に不動となっているため、角度規定部材８０により梁部材４に対する根太部材５の角度を正確に規定して、梁部材４の上に根太部材５を配置する作業を容易に行えるようになり、この作業を確実に行える。
【００６６】
また、本実施形態に係る角度規定部材８０の素材は板金であり、この板金の打ち抜き、折り曲げ加工により角度規定部材８０を簡単かつ安価に多数製造することができる。
【００６７】
また、前述したように梁部材４と根太部材５は同じ素材によって製造されているため、これらの梁部材４及び根太部材５と上下に対面させるために角度規定部材８０に形成されている第１延出部８２の幅寸法と第２延出部８３の幅寸法は、同じになっており、そして、第１延出部８２の幅方向両端には、折り曲げ加工により下向きに突出した一対に突片部８５が形成され、第２延出部８３の幅方向両端には、折り曲げ加工により上向きに突出した一対に突片部８６が形成されているため、第１延出部８２と第２延出部８３とに、図６の押さえ込み部材５０を梁部材４に固定するためのボルト５１の頭部５１Ａが挿通可能となった角孔８４を形成しておくことにより、角度規定部材８０を上下逆にしても、また、角度規定部材８０を鉛直軸を中心に９０度回動させても、この角度規定部材８０を、梁部材４と根太部材５とがなす角度を９０度に規定するために用いることができ、このため、角度規定部材８０を容易に取り扱うことができる。
【００６８】
さらに、梁部材４は上下対称形状の部材となっており、根太部材５も上下対称形状の部材となっており、このため、これらの梁部材４と根太部材５は、上下逆にしても用いることができるため、梁部材４と根太部材５も容易に取り扱うことができる。
【産業上の利用可能性】
【００６９】
本発明は、太陽光発電のために利用することができ、大規模の太陽光発電のためのメガソーラーシステムにも利用することができる。
【符号の説明】
【００７０】
１  支持部材である基礎杭
４  第１延伸部材であって、下側部材でもある梁部材
５  第２延伸部材であって、上側部材でもある根太部材
６  下地フレーム
７  ソーラーパネル
５０，５５，５６  押さえ込み部材
６０  方杖部材
８０  角度規定部材
８１  ベース部
８２  第１延出部
８３  第２延出部
８５  一対で第１当接部となる第１突片部
８６  一対で第２当接部となる第２突片部
９０及び９０Ｂ  取付具であるビス及びナット
【図１】
2015001048.tif 000003
【図２】
2015001048.tif 000004
【図３】
2015001048.tif 000005
【図４】
2015001048.tif 000006
【図５】
2015001048.tif 000007
【図６】
2015001048.tif 000008
【図７】
2015001048.tif 000009
【図８】
2015001048.tif 000010
【図９】
2015001048.tif 000011
【図１０】
2015001048.tif 000012
【図１１】
2015001048.tif 000013
【図１２】
2015001048.tif 000014